(57)【要約】【課題】タイミングソースプロテクションとしての信頼性を向上させる。  【解決手段】障害検出部３１は、タイミングマスタからのタイミングマスタクロックの障害状況を検出し、その検出情報をタイミングソース制御部４１に通知する。タイミングソース制御部４１は、各ラインに送出するＳＳＭの値をテーブルに基づき決定し、各ラインのＳＳＭ送出部に伝えること、及び各ラインの中でどのタイミングソースに同期するかを決定する。この発明は伝送通信装置間に２本以上のＳＤＨラインを接続し、それらをタイミングソースとして使用する場合に、各ラインに対しＤＮＵグループを設定することにより、タイミングループを構成することなくタイミングソース切り替えを行えることを可能とする。これにより、２本以上のＳＤＨラインをタイミングソースラインとして使用できるため、タイミングソースプロテクションとしての信頼性を向上させることができる。【選択図】図１
2010219850.tif 000002
【特許請求の範囲】
【請求項１】
互いに異なるクロック精度のクロックを出力するタイミングマスタに接続され、かつ、互いの間が２本以上のＳＤＨラインで接続された複数の伝送通信装置が、前記２本以上のそれぞれの前記ＳＤＨラインに対して対向先として同じ伝送通信装置に接続されているか否かを示すＤＮＵグループの設定をそれぞれ行い、接続された前記タイミングマスタがタイミングソースとして選択されているか否かの第１の条件と、選択されているタイミングソースと同じＤＮＵグループに設定されているか否かの第２条件とに基づいて、前記２本以上のＳＤＨラインに同期情報メッセージとしてそのＳＤＨラインを非選択とすることを示すＤＮＵのコード又は選択しているタイミングソースのクロック精度を示す情報を送出することを特徴とする伝送通信装置の同期タイミングソース切り替え方法。
【請求項２】
互いに異なるクロック精度のクロックを出力するタイミングマスタに接続され、かつ、互いの間が２本以上のＳＤＨラインで接続された複数の伝送通信装置が、前記２本以上のそれぞれの前記ＳＤＨラインに対して対向先として同じ伝送通信装置に接続されているか否かを示すＤＮＵグループの設定をそれぞれ行い、前記２本以上のＳＤＨラインのうちの１本のＳＤＨラインを選択して前記複数の伝送通信装置のうち一の伝送通信装置が接続された一のタイミングマスタからのタイミングマスタクロックに同期しているときは、前記一の伝送通信装置に対向する他の伝送通信装置において前記一の伝送通信装置と同じＤＮＵグループに設定すると共に、前記一の伝送通信装置に対して前記２本以上のＳＤＨラインによりそれぞれ前記同期情報メッセージとしてそのＳＤＨラインを非選択とすることを示すＤＮＵのコードを伝送し、
前記タイミングソースの切り替え時には、前記一の伝送通信装置は同期時と異なるＤＮＵグループに設定すると共に、前記他の伝送通信装置に接続された他の前記タイミングマスタからのタイミングマスタクロックを前記他の伝送通信装置から前記一の伝送通信装置へ前記２本以上のＳＤＨラインによりそれぞれ伝送した後、前記一の伝送通信装置において前記他の伝送通信装置と同じＤＮＵグループに設定すると共に、前記他の伝送通信装置に対して前記２本以上のＳＤＨラインによりそれぞれ前記同期情報メッセージとして前記ＤＮＵのコードを伝送することを特徴とする伝送通信装置の同期タイミングソース切り替え方法。
【請求項３】
第１のタイミングマスタに接続された第１の伝送通信装置と、第２のタイミングマスタに接続された第２の伝送通信装置とが２本以上のＳＤＨラインを介して接続されており、その２本以上のＳＤＨラインのうちの１本のＳＤＨラインを選択して、前記第１のタイミングマスタからの第１のタイミングマスタクロックに前記第１及び第２の伝送通信装置が同期しているときは、前記第１のタイミングマスタクロックの精度を示す同期情報メッセージを前記第１の伝送通信装置から前記第２の伝送通信装置へ前記２本以上のＳＤＨラインによりそれぞれ伝送すると共に、前記第２の伝送通信装置から前記第１の伝送通信装置へ前記同期情報メッセージとしてそのＳＤＨラインを非選択とすることを示すＤＮＵのコードを前記２本以上のＳＤＨラインによりそれぞれ伝送し、
前記タイミングソースの切り替え時には、前記第２のタイミングマスタからの第２のタイミングマスタクロックの精度を示す同期情報メッセージを前記第２の伝送通信装置から前記第１の伝送通信装置へ前記２本以上のＳＤＨラインによりそれぞれ伝送した後、前記第１の伝送通信装置から前記第２の伝送通信装置へ前記同期情報メッセージとして前記ＤＮＵのコードを前記２本以上のＳＤＨラインによりそれぞれ伝送することを特徴とする伝送通信装置の同期タイミングソース切り替え方法。
【請求項４】
前記タイミングソースの切り替えは、それまでタイミングソースとして選択していたタイミングマスタの故障発生時に行い、故障したタイミングマスタの次にクロック精度の高いタイミングマスタクロックを出力するタイミングマスタをタイミングソースとして選択することを特徴とする請求項１乃至３のうちいずれか一項記載の伝送通信装置の同期タイミングソース切り替え方法。
【請求項５】
前記伝送通信装置は、選択されているタイミングソースと同じＤＮＵグループに設定されているときは、その伝送通信装置に接続された前記タイミングマスタがタイミングソースとして選択されているか否かに関係なく前記ＤＮＵのコードを前記２本以上のＳＤＨラインに送出し、選択されているタイミングソースと異なるＤＮＵグループに設定されているときは、選択しているタイミングソースのクロック精度を示すコードを前記同期情報メッセージとして前記２本以上のＳＤＨラインに送出することを特徴とする請求項１乃至４のうちいずれか一項記載の伝送通信装置の同期タイミングソース切り替え方法。
【請求項６】
タイミングマスタに接続され、かつ、対向する伝送通信装置と２本以上のＳＤＨラインで接続されており、前記２本以上のＳＤＨラインのそれぞれに対して対向先として同じ伝送通信装置に接続されているか否かを示すＤＮＵグループの設定を行う設定手段と、
接続された前記タイミングマスタがタイミングソースとして選択されているか否かの第１の条件と、選択されているタイミングソースと同じＤＮＵグループに設定されているか否かの第２条件とに基づいて、前記２本以上のＳＤＨラインに同期情報メッセージとしてそのＳＤＨラインを非選択とすることを示すＤＮＵのコード又は選択しているタイミングソースのクロック精度を示す情報を送出する送出手段と
を有することを特徴とする伝送通信装置。
【請求項７】
タイミングマスタに接続され、かつ、対向する伝送通信装置と２本以上のＳＤＨラインで接続されており、前記２本以上のそれぞれの前記ＳＤＨラインに対して対向先として同じ伝送通信装置に接続されているか否かを示すＤＮＵグループの設定を行い、タイミングソースの切り替え時には、前記対向先の伝送通信装置と同じＤＮＵグループに設定する設定手段と、
前記２本以上のＳＤＨラインのうちの１本のＳＤＨラインを選択して前記タイミングマスタからのタイミングマスタクロックに同期しているときは、前記２本以上のＳＤＨラインによりそれぞれ同期情報メッセージとしてそのＳＤＨラインを非選択とすることを示すＤＮＵのコードを伝送する手段と、
タイミングソースの切り替え時には、前記対向先の伝送通信装置に接続された他のタイミングマスタからのタイミングマスタクロックを前記２本以上のＳＤＨラインを介して受信する受信手段と、
タイミングソースの切り替え時には、前記対向先の伝送通信装置に対して前記２本以上のＳＤＨラインによりそれぞれ前記同期情報メッセージとして前記ＤＮＵのコードを送信する送信手段と
を有することを特徴とする伝送通信装置。
【請求項８】
２本以上のＳＤＨラインの各ＳＤＨライン毎に設けられた、受信信号中から同期情報メッセージを検出する検出手段、受信信号中からクロックを抽出するクロック抽出手段、及び同期情報メッセージとクロックとを送信する送信手段と、
接続されたタイミングマスタからのタイミングマスタクロックの障害状況を検出する障害検出手段と、
前記２本以上のＳＤＨラインの各ＳＤＨラインのそれぞれが、対向先として同じ伝送通信装置と接続されているとき各ＳＤＨラインを同一のＤＮＵグループに設定するＤＮＵグループ設定手段と、
前記検出手段から出力された同期情報メッセージと前記障害検出手段で検出された障害検出結果と、前記ＤＮＵグループ設定手段で設定されたＤＮＵグループ情報とを入力として受け、それらの入力情報に基づいて、前記各ＳＤＨラインに送出する同期情報メッセージを、ＤＮＵのコード又は選択しているタイミングソースのクロック精度を示すコードに決定して、その決定結果を前記送信手段に通知すると共に、各ラインの中でどのタイミングソースに同期するかを決定するタイミングソース制御手段と、
前記タイミングソース制御手段により決定された同期するタイミングソースに基づいて、各ＳＤＨライン毎に設けられた前記クロック抽出手段でそれぞれ抽出されたクロック、及び接続された前記タイミングマスタからのタイミングマスタクロックのうち一のクロックを選択して前記送信手段へ出力するタイミングソース切り替え手段と
を有することを特徴とする伝送通信装置。
【請求項９】
前記タイミングソースの切り替えは、それまでタイミングソースとして選択していたタイミングマスタの故障発生時に行い、故障したタイミングマスタの次にクロック精度の高いタイミングマスタクロックを出力するタイミングマスタをタイミングソースとして選択することを特徴とする請求項６乃至８のうちいずれか一項記載の伝送通信装置。
【請求項１０】
前記送出手段は、選択されているタイミングソースと同じＤＮＵグループに設定されているときは、前記タイミングマスタがタイミングソースとして選択されているか否かに関係なく前記ＤＮＵのコードを前記２本以上のＳＤＨラインに送出し、選択されているタイミングソースと異なるＤＮＵグループに設定されているときは、選択しているタイミングソースのクロック精度を示すコードを前記同期情報メッセージとして前記２本以上のＳＤＨラインに送出することを特徴とする請求項６記載の伝送通信装置。
【請求項１１】
互いにクロック精度の異なるタイミングマスタクロックを出力するタイミングマスタに接続され、かつ、互いの間が２本以上のＳＤＨラインで接続された複数の伝送通信装置からなり、
前記複数の伝送通信装置のそれぞれは、
２本以上のそれぞれの前記ＳＤＨラインに対して対向先として同じ伝送通信装置に接続されているか否かを示すＤＮＵグループの設定を行う設定手段と、
接続された前記タイミングマスタがタイミングソースとして選択されているか否かの第１の条件と、選択されているタイミングソースと同じＤＮＵグループに設定されているか否かの第２条件とに基づいて、前記２本以上のＳＤＨラインに同期情報メッセージとしてそのＳＤＨラインを非選択とすることを示すＤＮＵのコード又は選択しているタイミングソースのクロック精度を示す情報を送出する送出手段と
を有することを特徴とするＳＤＨネットワーク。
【請求項１２】
互いにクロック精度の異なるタイミングマスタクロックを出力するタイミングマスタに接続され、かつ、互いの間が２本以上のＳＤＨラインで接続された複数の伝送通信装置からなり、
前記複数の伝送通信装置のそれぞれは、
前記２本以上のＳＤＨラインのそれぞれに対して対向先として同じ伝送通信装置に接続されているか否かを示すＤＮＵグループの設定を行い、タイミングソースの切り替え時には、前記対向先の伝送通信装置と同じＤＮＵグループに設定する設定手段と、
前記２本以上のＳＤＨラインのうちの１本のＳＤＨラインを選択して前記タイミングマスタからのタイミングマスタクロックに同期しているときは、前記２本以上のＳＤＨラインによりそれぞれ同期情報メッセージとしてＤＮＵのコードを伝送する手段と、
タイミングソースの切り替え時には、前記対向先の伝送通信装置に接続された他のタイミングマスタからのタイミングマスタクロックを前記２本以上のＳＤＨラインを介して受信する受信手段と、
タイミングソースの切り替え時には、前記対向先の伝送通信装置に対して前記２本以上のＳＤＨラインによりそれぞれ前記同期情報メッセージとして前記ＤＮＵのコードを送信する送信手段と
を有することを特徴とするＳＤＨネットワーク。
【請求項１３】
互いにクロック精度の異なるタイミングマスタクロックを出力するタイミングマスタに接続され、かつ、互いの間が２本以上のＳＤＨラインで接続された複数の伝送通信装置からなり、
前記複数の伝送通信装置のそれぞれは、
前記２本以上のＳＤＨラインの各ＳＤＨライン毎に設けられた、受信信号中から同期情報メッセージを検出する検出手段、受信信号中からクロックを抽出するクロック抽出手段、及び同期情報メッセージとクロックとを送信する送信手段と、
接続されたタイミングマスタからのタイミングマスタクロックの障害状況を検出する障害検出手段と、
前記２本以上のＳＤＨラインの各ＳＤＨラインのそれぞれが、対向先として同じ伝送通信装置と接続されているとき各ＳＤＨラインを同一のＤＮＵグループに設定するＤＮＵグループ設定手段と、
前記検出手段から出力された同期情報メッセージと前記障害検出手段で検出された障害検出結果と、前記ＤＮＵグループ設定手段で設定されたＤＮＵグループ情報とを入力として受け、それらの入力情報に基づいて、前記各ＳＤＨラインに送出する同期情報メッセージを、ＤＮＵのコード又は選択しているタイミングソースのクロック精度を示すコードに決定して、その決定結果を前記送信手段に通知すると共に、各ラインの中でどのタイミングソースに同期するかを決定するタイミングソース制御手段と、
前記タイミングソース制御手段により決定された同期するタイミングソースに基づいて、各ＳＤＨライン毎に設けられた前記クロック抽出手段でそれぞれ抽出されたクロック、及び接続された前記タイミングマスタからのタイミングマスタクロックのうち一のクロックを選択して前記送信手段へ出力するタイミングソース切り替え手段と
を有することを特徴とするＳＤＨネットワーク。
【請求項１４】
前記タイミングソースの切り替えは、それまでタイミングソースとして選択していたタイミングマスタの故障発生時に行い、故障したタイミングマスタの次にクロック精度の高いタイミングマスタクロックを出力するタイミングマスタをタイミングソースとして選択することを特徴とする請求項１１乃至１３のうちいずれか一項記載のＳＤＨネットワーク。
【請求項１５】
前記送出手段は、選択されているタイミングソースと同じＤＮＵグループに設定されているときは、前記タイミングマスタがタイミングソースとして選択されているか否かに関係なく前記ＤＮＵのコードを前記２本以上のＳＤＨラインに送出し、選択されているタイミングソースと異なるＤＮＵグループに設定されているときは、選択しているタイミングソースのクロック精度を示すコードを前記同期情報メッセージとして前記２本以上のＳＤＨラインに送出することを特徴とする請求項１１記載のＳＤＨネットワーク。
【発明の詳細な説明】
【技術分野】
【０００１】
本発明は伝送通信装置の同期タイミングソース切り替え方法に係り、特に対向する光伝送通信装置間で２本以上のＳＤＨ(Synchronous Digital Hierarchy)ラインを接続したネットワークシステムにおける伝送通信装置の同期タイミングソース切り替え方法に関する。
【背景技術】
【０００２】
光伝送通信装置は、ＩＴＵ−Ｔ（International Telecommunication Union-Telecommunication Sector:国際電気通信連合電気通信標準化部門）策定のＧ.７８１規定による装置同期機能に基づき、ＳＤＨ装置ネットワークの同期を構成し、動作するのが一般的である。
【０００３】
この光伝送通信装置間をＳＤＨラインで相互接続したＳＤＨネットワークでは、各光伝送通信装置はネットワーク内で基準となるクロックに同期して動作する必要がある。しかし、ＳＤＨネットワークにおいて、対向する光伝送通信装置が互いを同期クロックソースとして選択すると、装置自らが送出した同期品質にその装置自身が再同期するタイミングループが発生し、互いの光伝送通信装置が従属し合い、同期が不安定になる。
【０００４】
そこで、上記Ｇ.７８１規定では、上記のタイミングループが発生しないような対策が施される。この対策では、光伝送通信装置があるラインを選択しそれに同期している場合、そのラインに同期情報メッセージ（ＳＳＭ;Synchronization Status Message）にＤＮＵ(Do not use)のコードを送出し、対向する相手側光伝送通信装置側でそのラインを選択させ、同期しないようにする。同期情報メッセージ（ＳＳＭ）は、ＳＤＨオーバヘッドの所定ビットを利用してクロックの品質情報を伝送し、クロックの同期確立制御を行うためのメッセージである。これにより、対向する光伝送通信装置間で互いに同期しあうタイミングループの発生を回避している。
【０００５】
図５は、このタイミングループの発生の回避方法を備えたＳＤＨネットワークの一例を示す。同図において、装置２は、タイミングマスタ１(Ｇ.８１１クロック精度をもつ)からの信号を入力として受け、その入力信号に同期するように構成されている。また、装置２は、対向する装置３に接続しているタイミングマスタ４からの信号に同期できるように、装置３のラインに同期できるように構成されている。装置３は、装置２に同期すると共に、タイミングマスタ４（Ｇ.８１２Ｔクロック精度をもつ）に接続され、タイミングマスタ１が故障した場合、装置３及び装置２がタイミングマスタ４からの信号に同期できるように構成されている。
【０００６】
この構成のＳＤＨネットワークにおいて、図６（Ａ）に示すように、タイミングマスタ１が故障した場合、装置２は、装置３からのラインにＳＳＭとしてＤＮＵが来ていることで、装置３からのラインを選択せず一度内部自走クロックに同期し、その旨を装置３に通知することで、装置３がタイミングマスタ４にタイミングソースを選択するように切り替えさせる。これにより、図６（Ｂ）に示すように、装置２は、装置３からのラインにてＳＳＭとしてＧ.８１２Ｔコードを受信し、装置２は装置３のラインにクロック選択を切り替える。これにより、タイミングソース切り替えの遷移の間にタイミングループとなる構成にならずに、図６（Ｃ）に示すように、２台の装置２及び３がタイミングマスタ４に同期する構成に切り替る。このタイミングループの発生の回避方法は、例えば特許文献１にも開示されている。
【先行技術文献】
【特許文献】
【０００７】
【特許文献１】再公表特許ＷＯ０１／０２８１４４公報
【発明の概要】
【発明が解決しようとする課題】
【０００８】
しかしながら、図８に示すように、装置２と装置３間を２本以上のラインＬ１、Ｌ２で接続し、それぞれタイミングソースとして使用できるように構成したＳＤＨネットワークの場合、ＤＮＵの送出は選択しているタイミングソースの１ラインにしか送出しない。図８の例では、装置２のラインＬ１のＳＳＭはＤＮＵを受信しているが、ラインＬ２側は、ＳＳＭとしてＧ.８１１コードを受信している。これは、装置３は選択／同期しているラインＬ１にはＤＮＵを送信するが、他のラインＬ２には、ＳＳＭとしてＤＮＵではなく選択しているタイミングソースのクロック精度を示すコードを送信する動作による。
【０００９】
このため、上記のようなＳＤＨネットワークでは、例えば図９に示すように、タイミングマスタ１が故障した場合、装置２はラインＬ２を選択してしまい、装置２と装置３は互いに同期するタイミングループを引き起こし、そのままの状態に陥ってしまう問題がある。
【００１０】
本発明は上記の点に鑑みなされたもので、タイミングソースプロテクションとしての信頼性を向上させることができる伝送通信装置の同期タイミングソース切り替え方法、伝送通信装置及びＳＤＨネットワークを提供することを目的とする。
【課題を解決するための手段】
【００１１】
上記の目的を達成するため、本発明の伝送通信装置の同期タイミングソース切り替え方法は、各々異なるタイミングマスタに接続され、かつ、互いの間が２本以上のＳＤＨラインで接続された複数の伝送通信装置が、２本以上のそれぞれのＳＤＨラインに対して対向先として同じ伝送通信装置に接続されているか否かを示すＤＮＵグループの設定をそれぞれ行い、接続されたタイミングマスタがタイミングソースとして選択されているか否かの第１の条件と、選択されているタイミングソースと同じＤＮＵグループに設定されているか否かの第２条件とに基づいて、２本以上のＳＤＨラインに同期情報メッセージとしてそのＳＤＨラインを非選択とすることを示すＤＮＵのコード又は選択しているタイミングソースのクロック精度を示す情報を送出することを特徴とする。
【００１２】
また、上記の目的を達成するため、本発明の伝送通信装置は、タイミングマスタに接続され、かつ、対向する伝送通信装置と２本以上のＳＤＨラインで接続されており、２本以上のＳＤＨラインのそれぞれに対して対向先として同じ伝送通信装置に接続されているか否かを示すＤＮＵグループの設定を行う設定手段と、接続されたタイミングマスタがタイミングソースとして選択されているか否かの第１の条件と、選択されているタイミングソースと同じＤＮＵグループに設定されているか否かの第２条件とに基づいて、２本以上のＳＤＨラインに同期情報メッセージとしてそのＳＤＨラインを非選択とすることを示すＤＮＵのコード又は選択しているタイミングソースのクロック精度を示す情報を送出する送出手段とを有することを特徴とする。
【００１３】
更に、上記の目的を達成するため、本発明のＳＤＨネットワークは、各々異なるタイミングマスタに接続され、かつ、互いの間が２本以上のＳＤＨラインで接続された複数の伝送通信装置からなり、複数の伝送通信装置のそれぞれは、
２本以上のそれぞれのＳＤＨラインに対して対向先として同じ伝送通信装置に接続されているか否かを示すＤＮＵグループの設定を行う設定手段と、接続されたタイミングマスタがタイミングソースとして選択されているか否かの第１の条件と、選択されているタイミングソースと同じＤＮＵグループに設定されているか否かの第２条件とに基づいて、２本以上のＳＤＨラインに同期情報メッセージとしてそのＳＤＨラインを非選択とすることを示すＤＮＵのコード又は選択しているタイミングソースのクロック精度を示す情報を送出する送出手段とを有することを特徴とする。
【発明の効果】
【００１４】
本発明によれば、伝送通信装置間に２本以上のＳＤＨラインを接続し、それらをタイミングソースとして使用する場合に、各ラインに対しＤＮＵグループを設定することにより、タイミングループを構成することなくタイミングソース切り替えを行えることを可能とする。これにより、本発明によれば、２本以上のＳＤＨラインをタイミングソースラインとして使用できるため、タイミングソースプロテクションとしての信頼性を向上させることができる。
【図面の簡単な説明】
【００１５】
【図１】本発明の伝送通信装置の一実施形態のブロック図である。
【図２】本発明の伝送通信装置によりラインに送出するＳＳＭの値を決定する時に用いるテーブルの一例を示す図である。
【図３】本発明のＳＤＨネットワークの一実施形態の構成図である。
【図４】本発明の同期タイミングソース切り替え方法の一実施形態による同期タイミング切り替え動作を示す図である。
【図５】本発明の同期タイミングソース切り替え方法の他の実施形態による同期タイミング切り替え動作を示す図である。
【図６】ＳＤＨネットワークの一例を示す構成図である。
【図７】図６のＳＤＨネットワークにおいて一つのタイミングマスタが故障した場合の同期タイミングソース切り替え方法を説明する動作である。
【図８】装置間を２本以上のラインで接続し、それぞれタイミングソースとして使用できるように構成したＳＤＨネットワークの一例を示す図である。
【図９】図８のＳＤＨネットワークにおいてタイミングループが発生する時の動作を示す図である。
【発明を実施するための形態】
【００１６】
次に、本発明の実施形態について図面を参照して説明する。
【００１７】
図１は、本発明になる伝送通信装置の一実施形態のブロック図を示す。同図に示すように、本実施形態の伝送通信装置１００は、ラインＬ１に接続される障害検出部１１、ＳＳＭ検出部１２、クロック抽出部１３及びＳＳＭ送出部１４と、ラインＬ２に接続される障害検出部２１、ＳＳＭ検出部２２、クロック抽出部２３及びＳＳＭ送出部２４と、タイミングマスタからのタイミングマスタクロックが入力される障害検出部３１と、タイミングソース制御部４１と、タイミングソース切り替え部５１と、ラインＬ１用ＤＮＵグループ設定部１５と、ラインＬ２用ＤＮＵグループ設定部２５とから構成される。
【００１８】
障害検出部１１は、ラインＬ１の受信信号の障害状況を検出し、その検出情報をタイミングソース制御部４１に通知する。ＳＳＭ検出部１２は、ラインＬ１の受信信号からＳＳＭ情報を取り出し、タイミングソース制御部４１に通知する。クロック抽出部１３は、ラインＬ１の受信信号からクロックを抽出し、タイミングソース切り替え部５１に供給する。ＳＳＭ送出部１４は、タイミングソース切り替え部５１において選択されたクロック信号に、ＳＳＭ情報を付加し、ラインＬ１へ送出する。
【００１９】
ラインＬ１用ＤＮＵグループ設定部１５は、他のラインの中で対向先が同じ装置と接続されているかを示すもので、番号等による識別ＩＤ設定を行う。もし、ラインＬ１が対向先として同じ伝送通信装置に接続されている場合は、ラインＬ１用ＤＮＵグループ設定部１５は、ラインＬ１のＤＮＵグループ設定として“１”を設定する。他のラインは、対向先が別の伝送通信装置と接続しているために、“１”以外のＩＤを付与し、ラインＬ１とは異なるグループであることを示し、これをタイミングソース制御部４１に入力する。
【００２０】
障害検出部２１、ＳＳＭ検出部２２及びクロック抽出部２３は、ラインＬ２の受信信号に対して、障害検出部１１、ＳＳＭ検出部１２及びクロック抽出部１３と同様の動作を行う。また、ＳＳＭ送出部２４は、タイミングソース切り替え部５１において選択されたクロック信号に、ＳＳＭ情報を付加し、ラインＬ２へ送出する。
【００２１】
更に、ライン２用ＤＮＵグループ設定部２５は、ラインＬ２が対向先として同じ伝送通信装置に接続されている場合は、ラインＬ２のＤＮＵグループ設定として“１”を設定する。他のラインは、対向先が別の伝送通信装置と接続しているために、“１”以外のＩＤを付与し、ラインＬ２とは異なるグループであることを示し、これをタイミングソース制御部４１に入力する。
【００２２】
障害検出部３１は、タイミングマスタからのタイミングマスタクロックの障害状況を検出し、その検出情報をタイミングソース制御部４１に通知する。タイミングソース制御部４１は、各ラインに送出するＳＳＭの値を図２で示したテーブルに基づき決定し、各ラインのＳＳＭ送出部に伝えること、及び各ラインの中でどのタイミングソースに同期するかを決定し、その決定結果をタイミングソース切り替え部５１に通知する。タイミングソース切り替え部５１は、タイミングソース制御部４１から設定された内容に基づき、クロック抽出部１３、２３、タイミングマスタから入力したクロックから１つを選択し、その選択したクロックをＳＳＭ送出部１４、２４に出力する。
【００２３】
図２に示すテーブルは、該当ソース（タイミングマスタ）がタイミングソースとして選択されているか否かの第１の条件と、選択されているタイミングソースと同じＤＮＵグループに設定されているか否かの第２の条件に基づいて、送出するＳＳＭをＤＮＵ又は選択しているタイミングソースのクロック精度を示すコードのいずれかに決定するテーブルである。ここでは、選択されているタイミングソースと同じＤＮＵグループに設定されているときは、該当ソースがタイミングソースとして選択されているか否かに関係なく送出するＳＳＭをＤＮＵとする。また、選択されているタイミングソースと異なるＤＮＵグループに設定されているときは、該当ソースがタイミングソースとして選択されていないときに、送出するＳＳＭを、選択しているタイミングソースのクロック精度を示すコードとする。
【００２４】
次に、本発明になる伝送通信装置の同期タイミングソース切り替え方法及びＳＤＨネットワークの一実施形態について説明する。
【００２５】
図３は、本発明になるＳＤＨネットワークの一実施形態の構成図を示す。同図中、図８と同一構成部分には同一符号を付してある。図３において、本実施形態のＳＤＨネットワークは、第１のタイミングマスタ１、第２のタイミングマスタ４、対向する伝送通信装置（以下、単に装置ともいう）１０１及び１０２からなり、装置１０１及び１０２の間は２本のラインＬ１及びＬ２で接続されている。装置１０１及び１０２は、それぞれ図１のブロック図に示した構成とされている。
【００２６】
装置１０１は、タイミングマスタ１(Ｇ.８１１クロック精度をもつ)からの信号を入力として受け、その入力信号をタイミングソースとして選択し、装置１０２と同期するように構成されている。すなわち、装置１０１及び１０２共に、タイミングマスタ１からのクロック精度の高いタイミングマスタクロックで動作する。
【００２７】
また、装置１０２は、タイミングマスタ４(Ｇ.８１１クロック精度をもつ)に接続されている。タイミングマスタ４は、タイミングマスタ１が故障等により使用できなくなった場合の２番目（予備）のマスタクロックとして使用するもので、タイミングマスタ１のクロック精度よりもクロック精度が若干低い構成である。すなわち、タイミングマスタ１及びタイミングマスタ４のうち、優先して使用するタイミングマスタ１の方のクロック精度が高く設定されている。このような構成のＳＤＨネットワークにおいて、装置１０１には、装置１０２からのラインＬ１及びラインＬ２共にＳＳＭはＤＮＵを受信している。
【００２８】
次に、このＳＤＨネットワークにおける本実施形態の同期タイミングソース切り替え方法について、図４と共に説明する。図４中、図３と同一構成部分には同一符号を付してある。
【００２９】
図３に示したように、ＳＤＨネットワークにおいて、タイミングマスタ１が故障していない状態では、装置１０１はラインＬ１、Ｌ２に送出するＳＳＭの値を、タイミングマスタ１から入力されたクロック精度を示すＧ.８１１コードとしている。一方、装置１０２内の図１に示したタイミングソース制御部４１は、図２に示したテーブルを参照して選択／同期しているラインＬ１に送出するＳＳＭの値を、図２（１）のテーブルの状態に基づいてＤＮＵと決定すると共に、他のラインＬ２に送出するＳＳＭの値を図２（３）の状態に基づいてＤＮＵと決定する。従って、装置１０２から装置１０１へはラインＬ１、Ｌ２を介してＤＮＵがＳＳＭとして送出される。
【００３０】
この状態において、図４（Ａ）に示すように、タイミングマスタ１が故障した場合、装置１０１は、タイミングマスタ１からクロック信号が入力されず、また装置１０２からのラインＬ１、ラインＬ２から信号を選択できないため、内部自走クロックにて同期を行う。このとき、装置１０１内の図１に示した障害検出部３１は、タイミングマスタ１からのタイミングマスタクロックの障害発生を検出し、その障害発生検出情報をタイミングソース制御部４１に通知する。タイミングソース制御部４１は、この障害発生検出情報に基づいて、図２で示したテーブルを参照し、図２（２）の状態であると判定してラインＬ１、Ｌ２に送出するＳＳＭの値を、内部自走クロックのクロック精度を示すＳＥＴＳコードとする。このＳＥＴＳコードは、装置１０１内のＳＳＭ送出部１４、２４からタイミングソース切り替え部５１において選択された内部自走クロック信号に付加されてラインＬ１、Ｌ２へ送出される。
【００３１】
装置１０２は、装置１０１からのＳＳＭとして内部の図１に示したＳＳＭ検出部１２、２２でＳＥＴＳコードを受信検出し、そのＳＥＴＳコードを装置１０２内のタイミングソース制御部４１に通知する。タイミングソース制御部４１は、このＳＥＴＳコードに基づいて、図２で示したテーブルを参照し、図２（２）の状態であると判定してラインＬ１、Ｌ２に送出するＳＳＭの値を、タイミングマスタ４のクロック精度を示すＧ.８１２Ｔコードとすることを決定し、タイミングソース切り替え部５１に通知する。
【００３２】
これにより、装置１０２内のタイミングソース切り替え部５１は、タイミングソース制御部４１から通知された内容に基づき、タイミングマスタ４から入力したクロックを選択する。装置１０２は、選択したクロックと共に、ＳＳＭ送出部１４、２４で付加したそのクロックの精度を示すＧ.８１２ＴコードをＳＳＭ値として、図４（Ｂ）に示すようにラインＬ１、Ｌ２に送出する。
【００３３】
これにより、装置１０１は、装置１０２からラインＬ１、Ｌ２のそれぞれからＧ.８１２Ｔコードとタイミングマスタ４からのタイミングマスタクロックとを受信する。装置１０１は内部の図１に示したクロック抽出部１３、２３でタイミングマスタ４からのタイミングマスタクロックを抽出してタイミングソース切り替え部５１に供給すると共に、ＳＳＭ検出部１２、２２でＧ.８１２Ｔコードを検出してタイミングソース制御部４１に供給する。
【００３４】
装置１０１内のタイミングソース制御部４１は、図２に示したテーブルを参照し、選択しているラインＬ１に送出するＳＳＭ値は、図２（１）のテーブルの状態に基づいてＤＮＵと決定すると共に、他のラインＬ２に送出するＳＳＭの値を図２（３）の状態に基づいてＤＮＵと決定する。従って、図４（Ｃ）に示すように、装置１０１から装置１０２へはラインＬ１、Ｌ２を介してＤＮＵがＳＳＭとして送出される。
【００３５】
このように、装置１０１は、内部自走クロックより精度の良い装置１０２からラインＬ１へ送出されたタイミングマスタ４からのタイミングマスタクロックにタイミングソース切り替えを行う。このため、装置１０１と装置１０２とはタイミングループを構成することなくタイミングマスタ４からのタイミングマスタクロックに同期する構成に移行ができる。
【００３６】
このように、本実施形態によれば、ネットワークの離れた場所にある２つのタイミングマスタ１、４にそれぞれ接続されている装置１０１、１０２間を２本以上のラインＬ１、Ｌ２で接続したＳＤＨネットワークにおいて、装置１０１、１０２内にＤＮＵグループ設定の機能を付加することにより、タイミングループを構成することなくタイミングソース切り替えを行えることが可能となる。従って、本実施形態によれば、２本以上のＳＤＨラインをタイミングソースラインとして使用できるため、タイミングソースプロテクションとしての信頼性を向上させることができる。
【００３７】
次に、本発明の他の実施形態について説明する。
【００３８】
この実施形態は、タイミングマスタクロックが２つあり、それがネットワークの離れた場所においており、タイミングマスタに接続している装置間のＳＤＨネットワーク上に、装置間をラインプロテクションで構成した場合、ラインプロテクションのワーキング、スタンバイラインにＤＮＵグループ設定機能を付加したものである。
【００３９】
次に、このＳＤＨネットワークにおける他の実施形態の同期タイミングソース切り替え方法について、図５と共に説明する。図５中、図３と同一構成部分には同一符号を付してある。
【００４０】
図５において、対向する装置１０３及び１０４は、それぞれ図３及び図４に示した装置１０１及び１０２と同様に図１の構成とされている。ただし、装置１０３及び１０４は、ワーキングラインＷＬとプロテクションラインＰＬとで接続されている点が図３の構成と異なる。
【００４１】
図５に示すように、ＳＤＨネットワークにおいて、装置１０３に接続されたタイミングマスタ１が故障していない状態では、装置１０３はワーキングラインＷＬとプロテクションラインＰＬにそれぞれ送出するＳＳＭの値を、タイミングマスタ１から入力されたクロック精度を示すＧ.８１１コードとしている。一方、装置１０４内の図１に示したタイミングソース制御部４１は、図２に示したテーブルを参照して選択／同期しているワーキングラインＷＬに送出するＳＳＭの値を、図２（１）のテーブルの状態に基づいてＤＮＵと決定すると共に、プロテクションラインＰＬに送出するＳＳＭの値を図２（３）の状態に基づいてＤＮＵと決定する。従って、装置１０４から装置１０３へはワーキングラインＷＬ、プロテクションラインＰＬを介してＤＮＵがＳＳＭとして送出される。これにより、装置１０３と装置１０４とは、タイミングマスタ１からのクロックに同期して動作する。
【００４２】
この状態において、図５（Ｂ）に示すように、タイミングマスタ１が故障した場合、装置１０３は、タイミングマスタ１からクロック信号が入力されず、また装置１０４からのワーキングラインＷＬ、プロテクションラインＰＬから信号を選択できないため、内部自走クロックにて同期を行う。このとき、装置１０３内の図１に示した障害検出部３１は、タイミングマスタ１からのタイミングマスタクロックの障害発生を検出し、その障害発生検出情報をタイミングソース制御部４１に通知する。タイミングソース制御部４１は、この障害発生検出情報に基づいて、図２で示したテーブルを参照し、図２（２）の状態であると判定してワーキングラインＷＬ、プロテクションラインＰＬに送出するＳＳＭの値を、内部自走クロックのクロック精度を示すＳＥＴＳコードとする。このＳＥＴＳコードは、装置１０３内のＳＳＭ送出部１４、２４からタイミングソース切り替え部５１において選択された内部自走クロック信号に付加されてワーキングラインＷＬ、プロテクションラインＰＬへ送出される。
【００４３】
装置１０４は、装置１０３からのＳＳＭとして内部の図１に示したＳＳＭ検出部１２、２２でＳＥＴＳコードを受信検出し、そのＳＥＴＳコードを装置１０４内のタイミングソース制御部４１に通知する。タイミングソース制御部４１は、このＳＥＴＳコードに基づいて、図２で示したテーブルを参照し、図２（２）の状態であると判定してワーキングラインＷＬ、プロテクションラインＰＬに送出するＳＳＭの値を、タイミングマスタ４のクロック精度を示すＧ.８１２Ｔコードとすることを決定し、タイミングソース切り替え部５１に通知する。
【００４４】
これにより、装置１０４内のタイミングソース切り替え部５１は、タイミングソース制御部４１から通知された内容に基づき、タイミングマスタ４から入力したクロックを選択する。装置１０４は、選択したクロックと共に、ＳＳＭ送出部１４、２４で付加したそのクロックの精度を示すＧ.８１２ＴコードをＳＳＭ値として、図５（Ｃ）に示すようにワーキングラインＷＬ、プロテクションラインＰＬに送出する。
【００４５】
これにより、装置１０３は、装置１０４からワーキングラインＷＬ、プロテクションラインＰＬのそれぞれからＧ.８１２Ｔコードとタイミングマスタ４からのタイミングマスタクロックとを受信する。装置１０３は内部の図１に示したクロック抽出部１３、２３でタイミングマスタ４からのタイミングマスタクロックを抽出してタイミングソース切り替え部５１に供給すると共に、ＳＳＭ検出部１２、２２でＧ.８１２Ｔコードを検出してタイミングソース制御部４１に供給する。
【００４６】
装置１０３内のタイミングソース制御部４１は、図２に示したテーブルを参照し、選択しているワーキングラインＷＬに送出するＳＳＭ値は、図２（１）のテーブルの状態に基づいてＤＮＵと決定すると共に、プロテクションラインＰＬに送出するＳＳＭの値を図２（３）の状態に基づいてＤＮＵと決定する。従って、図５（Ｄ）に示すように、装置１０３から装置１０４へはワーキングラインＷＬ、プロテクションラインＰＬを介してＤＮＵがＳＳＭとして送出される。
【００４７】
このように、装置１０３は、内部自走クロックより精度の良い装置１０４からワーキングラインＷＬへ送出されたタイミングマスタ４からのタイミングマスタクロックにタイミングソース切り替えを行う。このため、装置１０３と装置１０４とはタイミングループを構成することなくタイミングマスタ４からのタイミングマスタクロックに同期する構成に移行ができる。すなわち、この実施形態においても、同期元となっているタイミングマスタが故障した場合に、タイミングループを構成することなく、もう一方のタイミングマスタに同期する構成に移行が可能となる。
【符号の説明】
【００４８】
１、４  タイミングマスタ
１１、２１、３１  障害検出部
１２、２２  ＳＳＭ検出部
１３、２３  クロック抽出部
１４、２４  ＳＳＭ送出部
１５  ラインＬ１用ＤＮＵグループ設定部
２５  ラインＬ２用ＤＮＵグループ設定部
４１  タイミングソース制御部
５１  タイミングソース切り替え部
１００、１０１、１０２  伝送通信装置（装置）
Ｌ１、Ｌ２  ライン（ＳＤＨライン）
ＷＬ  ワーキングライン（ＳＤＨライン）
ＰＬ  プロテクションライン（ＳＤＨライン）
【図１】
2010219850.tif 000003
【図２】
2010219850.tif 000004
【図３】
2010219850.tif 000005
【図４】
2010219850.tif 000006
【図５】
2010219850.tif 000007
【図６】
2010219850.tif 000008
【図７】
2010219850.tif 000009
【図８】
2010219850.tif 000010
【図９】
2010219850.tif 000011